(57)【要約】【課題】エレベータ運転者またはかご操作盤近くの先客の視野から死角になって見えない方向から乗り込もうとする乗客の姿が見えるようにし、乗客に気付かないまま戸閉してしまうことをなくしたエレベータ装置を提供する。【解決手段】かごの戸と、乗場の戸と、乗場の戸のかご側先端部に設けられた隠し板とを備え、かごの戸、乗場の戸及び隠し板の戸当たり面を鏡面状に構成する。かごの戸の先端部に設けられたセフティシューの戸当たり面を鏡面状に構成する。乗場の戸と隠し板の戸当たり面を一体的に構成する。かごの戸、乗場の戸及び隠し板の鏡面状戸当たり面を面一に構成する。【選択図】      図１
2004338903.tif 000002
【特許請求の範囲】
【請求項１】
かごの戸と、乗場の戸と、乗場の戸のかご側先端部に設けられた隠し板とを備え、上記かごの戸、乗場の戸及び隠し板の戸当たり面を鏡面状に構成したことを特徴とするエレベータ装置。
【請求項２】
かごの戸と、かごの戸の先端部に設けられたセフティシューと、乗場の戸と、乗場の戸のかご側先端部に設けられた隠し板とを備え、上記かごの戸、セフティシュー、乗場の戸及び隠し板の戸当たり面を鏡面状に構成したことを特徴とするエレベータ装置。
【請求項３】
乗場の戸と隠し板の戸当たり面を一体的に構成したことを特徴とする請求項１又は請求項２記載のエレベータ装置。
【請求項４】
かごの戸、乗場の戸及び隠し板の鏡面状戸当たり面を面一に構成したことを特徴とする請求項１〜請求項３のいずれかに記載のエレベータ装置。
【請求項５】
かごの戸、乗場の戸及び隠し板の鏡面状戸当たり面を、かご側から乗場側に行くに従って突出する傾斜状にしたことを特徴とする請求項１〜請求項３のいずれかに記載のエレベータ装置。
【請求項６】
かごの戸、乗場の戸及び隠し板の鏡面状戸当たり面を、円弧状に形成したことを特徴とする請求項１〜請求項３のいずれかに記載のエレベータ装置。
【請求項７】
かごの戸、乗場の戸及び隠し板の鏡面状戸当たり面の特定の高さ部分を、球面状に形成したことを特徴とする請求項１〜請求項３のいずれかに記載のエレベータ装置。
【請求項８】
かごと、乗場三方枠と、かごの戸と、乗場の戸と、乗場の戸のかご側先端部に設けられた隠し板とを備え、上記かごの戸当たり側出入口枠及び上記乗場三方枠の戸当たり側縦柱の戸当たり面を鏡面状に構成したことを特徴とするエレベータ装置。
【発明の詳細な説明】
【０００１】
【発明の属する技術分野】
この発明はエレベータ装置、特にエレベータ戸部分に関するものである。
【０００２】
【従来の技術】
従来のエレベータ装置においては、乗場ホールで出発間際のエレベータに乗るために乗客が走ってエレベータに接近してくることがある。この走って接近してくる乗客の内、エレベータ運転者またはかご操作盤近くにいる乗客（以下先客という）の視野から死角になる位置の方向から乗り込もうとする乗客がエレベータ運転者や先客からは見えず、気付かないまま戸閉してしまっていた。
また従来技術として、乗場ホールでのエレベータ利用客とエレベータ運転者またはかご操作盤近くの先客との間のエレベータ制御に関するものがあり、センサーで乗場ホールの乗客を検出し効率よくエレベータを制御する例が提案されている（例えば特許文献１参照）。
【０００３】
【特許文献１】
特開２００１−８９０４２号公報
【０００４】
【発明が解決しようとする課題】
上記従来のエレベータ装置にあっては、エレベータ戸閉中で出発間際にエレベータ運転者またはかご操作盤近くの先客の視野から死角になる位置の方向から走って乗り込もうとする乗客の姿が見えずに、気付かないまま戸閉してしまうという問題があった。
また、特許文献１は、エレベータ運転者またはかご操作盤近くの先客の視野から死角になる位置の方向から走って乗り込もうとする乗客のことまで配慮したものではなかった。
【０００５】
この発明は、上述のような課題を解決するためになされたもので、第１の目的は、エレベータ運転者またはかご操作盤近くの先客から死角になって見えない方向の乗客の姿を見えるようにしたエレベータ装置を提供するものである。
【０００６】
【課題を解決するための手段】
この発明に係るエレベータ装置は、かごの戸と、乗場の戸と、乗場の戸のかご側先端部に設けられた隠し板とを備え、かごの戸、乗場の戸及び隠し板の戸当たり面を鏡面状に構成したものである。
【０００７】
【発明の実施の形態】
実施の形態１．
図１はこの発明の実施の形態１におけるエレベータ装置のかごと乗場ホールを示す平面断面図、図２は戸部分の拡大断面図である。図において、エレベータ装置は、昇降路内に設けられたかご１と、乗場三方枠２と、両開き式のかごの戸３と、両開き式の乗場の戸４と、上記かごの戸３の乗場側先端部に設けられ、かごの戸３の動作とともに出没する安全装置のセフティシュー５と、上記乗場の戸４のかご側先端部に固着された断面コ字形の隠し板６と、乗場ホール７とから構成されている。そして、かご１内には、エレベータ運転者９またはかご操作盤１ａ近くに先客がいる状態を示しており、一方乗場ホール７には、出発間際にエレベータに乗るために駆け込む乗客１０がいることを示している。
かご１内のエレベータ運転者９またはかご操作盤１ａ近くの先客からは、かごの戸３、乗場の戸４と、三方枠２が邪魔をして視野の死角になってしまうので、乗場ホール７の駆け込み乗客１０が見えない。そこで、この発明においては、エレベータ運転者９またはかご操作盤１ａ近くの先客がいる側のかごの戸３、乗場の戸４とは反対側のかごの戸３、乗場の戸４の戸当たり面、及びセフティシュー５と隠し板６の戸当たり面を鏡面状に仕上げるか、或いは表面を鏡面状に仕上げた鏡面部材３ａ、４ａ、５ａ、６ａをそれぞれ着脱自在に取り付け、かつ各鏡面部材３ａ、４ａ、６ａが面一になるように構成している。
また、かご操作盤１ａがかご出入口の左右両側に設置される場合は、上記と反対側のかご操作盤１ａ近くに先客がいることも考えられるので、両開き式かごの戸３、両開き式乗場の戸４の双方の戸当たり面、及びセフティシュー５と隠し板６の双方戸当たり面を鏡面状に仕上げるか、或いは表面を鏡面状に仕上げた鏡面部材３ａ、４ａ、５ａ、６ａをそれぞれ着脱自在に取り付けてもよい。
これにより、エレベータ運転者９またはかご操作盤１ａ近くの先客からは、普段は死角になって見えない乗場ホール７の駆け込み乗客１０が、かごの戸３、乗場の戸４の戸当たり面、及びセフティシュー５と隠し板６の戸当たり面にそれぞれ設けた鏡面部材３ａ、４ａ、５ａ、６ａに写って見えるため、エレベータ運転者９またはかご操作盤１ａ近くの先客の戸開ボタン操作により、出発間際で戸閉中のかごの戸３、乗場の戸４を反転させて、駆け込み乗客１０を乗せることができる。
【０００８】
実施の形態２．
図３はこの発明の実施の形態２におけるエレベータ装置を示す戸部分の拡大断面図である。この実施の形態２では、エレベータ運転者９またはかご操作盤１ａ近くの先客がいる側の乗場の戸４とは反対側の乗場の戸４の戸当たり面に、断面Ｌ字状の隠し板８の乗場側端部を取り付けるとともに、この隠し板８の戸当たり面側を鏡面状に仕上げるか、或いは表面を鏡面状に仕上げた鏡面部材８ａをそれぞれ着脱自在に取り付け、かつ各鏡面部材３ａ、８ａが面一になるように構成している。なお、上記以外の構成は実施の形態１と同様である。
これにより、乗場の戸４と隠し板８との間の継ぎ目がないため、鏡面部材８ａに良く写るので、視認性が向上する。
【０００９】
実施の形態３．
図４はこの発明の実施の形態３におけるエレベータ装置を示す戸部分の拡大断面図である。この実施の形態３では、エレベータ運転者９またはかご操作盤１ａ近くの先客がいる側のかごの戸３、乗場の戸４とは反対側のかごの戸３と乗場の戸４の戸当たり部、及びセフティシュー５と隠し板６の戸当たり部をかご側から乗場側に行くに従って突出する傾斜状にしたものである。そして、この傾斜状の戸当たり面を鏡面状に仕上げるか、或いは表面を鏡面状に仕上げた鏡面部材３ｂ、４ｂ、５ｂ、６ｂをそれぞれ着脱自在に取り付け、かつ各鏡面部材３ｂ、４ｂ、６ｂが斜め面一になるように構成している。また、上記傾斜状の戸当たり面と当たるもう一方のかごの戸３と乗場の戸４の戸当たり部、及びセフティシュー５と隠し板６の戸当たり部は、反対に乗場側からかご側に行くに従って突出する傾斜状になされている。なお、上記以外の構成は実施の形態１と同様である。
これにより、エレベータ運転者から乗場ホールの駆け込み乗客の姿が最も写り易い鏡面角度とすることができるので、視認性がより一層向上する。
【００１０】
実施の形態４．
図５はこの発明の実施の形態４におけるエレベータ装置を示す戸部分の拡大断面図である。この実施の形態４では、エレベータ運転者９またはかご操作盤１ａ近くの先客がいる側のかごの戸３、乗場の戸４とは反対側のかごの戸３と乗場の戸４の戸当たり部、及びセフティシュー５と隠し板６の戸当たり部を中央部が突出する緩やかな円弧状に形成したものである。そして、この円弧状の戸当たり面を鏡面状に仕上げるか、或いは表面を鏡面状に仕上げた鏡面部材３ｃ、４ｃ、５ｃ、６ｃをそれぞれ着脱自在に取り付けたものである。
これにより、エレベータ運転者から乗場ホールの死角になる部分が円弧状鏡面の凸レンズ作用により、広範囲が写るため、視認性をより一層向上させることができる。
【００１１】
実施の形態５．
図６はこの発明の実施の形態５におけるエレベータ装置の乗場の戸当たり部を示す斜視図である。この実施の形態５では、エレベータ運転者９またはかご操作盤１ａ近くの先客がいる側のかごの戸３、乗場の戸４とは反対側のかごの戸３と乗場の戸４の戸当たり部、及びセフティシュー５と隠し板６の戸当たり部の特定の高さの一部分のみを緩やかな球面状の鏡面として仕上げるか、或いは表面を鏡面に仕上げた緩やかな球面状の鏡面部材３ｄ、４ｄ、５ｄ、６ｄをそれぞれ着脱自在に取り付けたものである。
これにより、エレベータ運転者の目線は乗場戸当たり部の一部を見れば乗場ホールの死角になる部分全体を見ることができるため、少ない労力で広範囲を視認することができる。
【００１２】
実施の形態６．
図７はこの発明の実施の形態６におけるエレベータ装置のかごと乗場ホールを示す平面断面図、図８はかごの出入口枠及び乗場三方枠の戸当たり側部分の拡大断面図である。図において、エレベータ装置は、昇降路内に設けられたかご１１と、乗場三方枠１２と、片開き式のかごの戸１３と、片開き式の乗場の戸１４と、上記かごの戸１３の乗場側先端部に設けられ、かごの戸１３の動作とともに出没する安全装置のセフティシュー１５と、上記乗場の戸１４のかご側先端部に固着された断面コ字形の隠し板１６と、乗場ホール１７とから構成されている。そして、かご１１内には、エレベータ運転者９またはかご操作盤１１ａ近くに先客がいる状態を示しており、一方乗場ホール１７には、出発間際にエレベータに乗るために駆け込む乗客１０がいることを示している。
かご１１内のエレベータ運転者９またはかご操作盤１１ａ近くの先客からは、かごの戸１３、乗場の戸１４と、三方枠１２が邪魔をして視野の死角になってしまうので、乗場ホール１７の駆け込み乗客１０が見えない。そこで、この実施の形態６においては、エレベータ運転者９またはかご操作盤１１ａ近くの先客がいる側とは反対側となるかご１１の戸当たり側出入口枠１１ｂの表面、及び乗場三方枠１２の戸当たり側縦柱１２ａの表面を鏡面状に仕上げるか、或いは表面を鏡面状に仕上げた鏡面部材１１ｃ、１１ｄ、１２ｂ、１２ｃをそれぞれ着脱自在に取り付けている。
これにより、エレベータ運転者９またはかご操作盤１ａ近くの先客からは、普段は死角になって見えない乗場ホール１７の駆け込み乗客１０が、かご１１の戸当たり側出入口枠１１ｂ、及び乗場三方枠１２の戸当たり側縦柱１２ａにそれぞれ設けた鏡面部材１１ｃ、１１ｄ、１２ｂ、１２ｃに写って見えるため、エレベータ運転者９またはかご操作盤１１ａ近くの先客の戸開ボタン操作により、出発間際で戸閉中のかごの戸１３、乗場の戸１４を反転させて、駆け込み乗客１０を乗せることができる。
【００１３】
【発明の効果】
この発明は以上説明したように、かごの戸と、乗場の戸と、乗場の戸のかご側先端部に設けられた隠し板とを備え、かごの戸、乗場の戸及び隠し板の戸当たり面を鏡面状に構成したので、エレベータ運転者またはかご操作盤近くの先客から死角になって見えない方向の乗客の姿が見えるため、運転者等の戸開ボタン操作により、出発間際で戸閉中のかごの戸、乗場の戸を反転させ、乗客を乗せることができる。
【図面の簡単な説明】
【図１】この発明の実施の形態１におけるエレベータ装置のかごと乗場ホールを示す平面断面図である。
【図２】この発明の実施の形態１におけるエレベータ装置の戸部分の拡大断面図である。
【図３】この発明の実施の形態２におけるエレベータ装置を示す戸部分の拡大断面図である。
【図４】この発明の実施の形態３におけるエレベータ装置を示す戸部分の拡大断面図である。
【図５】この発明の実施の形態４におけるエレベータ装置を示す戸部分の拡大断面図である。
【図６】この発明の実施の形態５におけるエレベータ装置の乗場の戸当たり部を示す斜視図である。
【図７】この発明の実施の形態６におけるエレベータ装置のかごと乗場ホールを示す平面断面図である。
【図８】この発明の実施の形態６におけるかごの出入口枠及び乗場三方枠の戸当たり側部分の拡大断面図である。
【符号の説明】
１、１１  かご
１ａ、１１ａ  かご操作盤
２、１２  乗場三方枠
３、１３  かごの戸
４、１４  乗場の戸
５、１５  セフティシュー
６、８、１６  隠し板
７、１７  乗場ホール
９  エレベータ運転者
１０  駆け込み乗客
３ａ〜３ｄ、４ａ〜４ｄ、５ａ〜５ｄ、６ａ〜６ｄ、８ａ  鏡面部材
１１ｃ、１１ｄ、１２ｂ、１２ｃ  鏡面部材
【図１】
2004338903.tif 000003
【図２】
2004338903.tif 000004
【図３】
2004338903.tif 000005
【図４】
2004338903.tif 000006
【図５】
2004338903.tif 000007
【図６】
2004338903.tif 000008
【図７】
2004338903.tif 000009
【図８】
2004338903.tif 000010